【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
生体適合性グラフト材料からなる細長い管状本体であって、遠位端と近位端とを有し、また、第一の選択された直径を有する近位部分と、該第一の選択された直径よりも小さい第二の選択された直径を有する遠位部分と、前記近位部分と前記遠位部分との間に位置するテーパー状中間部分とを有し、さらに、外周と、該管状本体上の概念上の前方長手方向基準線と、該概念上の前方長手方向基準線が１２時の位置となる概念上の横断クロック面とを有する管状本体と、
前記管状本体の前記近位部分に設けられ且つ前記管状本体の前記近位端において開口しているスカラップ状の切欠きと、
前記近位部分において前記スカラップ状の切欠きよりも遠位側に設けられている開窓部と、
前記テーパー状中間部分の遠位端に設けられた第一及び第二の開窓部アセンブリと、を備えており、
前記スカラップ状の切欠きは、その周方向での中心位置が前記概念上の横断クロック面におけるほぼ１２時３０分の位置となるように配置され、
前記近位部分に設けられている前記開窓部は、その周方向での中心位置が前記概念上の横断クロック面におけるほぼ１２時の位置となるように配置され、
前記第一の開窓部アセンブリは、その周方向での中心位置が前記概念上の横断クロック面におけるほぼ２時１５分の位置となるように配置され、
前記第二の開窓部アセンブリは、その周方向での中心位置が前記概念上の横断クロック面におけるほぼ１０時の位置となるように配置されている、ことを特徴とするステントグラフト。
【請求項２】
前記管状本体に沿って固定されている複数の自己拡張型ステントを備えている、ことを特徴とする請求項１に記載のステントグラフト。
【請求項３】
前記近位部分の前記近位端から伸長している露出されたジグザグ状の自己拡張型ステントを備えている、ことを特徴とする請求項１又は２に記載のステントグラフト。
【請求項４】
前記テーパー状中間部分が弓形の側壁を有していて、該テーパー状の部分が凹状の外面を含むようになされている、ことを特徴とする請求項１〜３のうちのいずれか一の項に記載のステントグラフト。
【請求項５】
前記第一及び第二の開窓部アセンブリの各々が高さが低い側方アームを備えており、該高さが低い側方アームが近位の外方開口端部を備えている、ことを特徴とする請求項１〜４のうちのいずれか一の項に記載のステントグラフト。
【請求項６】
前記第一及び第二の高さが低い側方アームの各々が、側方アームの開窓部内に密封状態で収納される管状の側方分岐部を備えており、該管状の側方分岐部の内側部分は前記管状本体内へと伸長し、該管状の側方分岐部の外側部分は前記管状本体の外側に伸長し、該管状の側方分岐部が前記管状本体から角度をなして伸長するようになっている、ことを特徴とする請求項５に記載のステントグラフト。
【請求項７】
前記管状の側方分岐部の各々が補強ステントを備えており、該補強ステントは、第一のリングと第二のリングとを形成しているワイヤー部を備えており、前記第二のリングが、前記第一のリングの面と平行で且つ該第一のリングの面から軸線方向で間隔を開けた面を規定しており、少なくとも一つのワイヤー部が前記第一のリングと第二のリングとの間を伸長している、ことを特徴とする請求項６に記載のステントグラフト。
【請求項８】
前記管状側方分岐部の各々が、前記管状本体に縫い合わせられることによって前記テーパー部分に取り付けられており、該縫い合わせは、前記管状側方分岐部の近位端から該管状側方分岐部の遠位端まで周方向に沿って且つ対角状に延在していて、前記管状側方分岐部が前記管状本体から角度をなして伸長している、ことを特徴とする請求項６又は７に記載のステントグラフト。
【請求項９】
当該ステントグラフトの全長が概ね１１１ｍｍであり、前記近位部分の前記第一の選択された直径が３０ｍｍであり、前記遠位部分の前記第二の選択された直径が２０ｍｍであり、前記近位部分の長手方向の長さが約３９ｍｍであり、前記遠位部分の長手方向の長さが約５４ｍｍであり、前記テーパー状中間部分の長手方向の長さが約１８ｍｍであり、前記スカラップ状の切欠きの外周の幅が約２０ｍｍであり且つ長手方向の奥行きが約１９ｍｍであり、前記開窓部は直径が８ｍｍであり且つ前記近位端から２６ｍｍ隔てられた位置に中心が配置されており、前記第一及び第二の高さが低い側方アームの外側開口端部の各々が、前記近位端から５５ｍｍの距離のところに位置決めされている、ことを特徴とする請求項５〜８のうちのいずれか一の項に記載のステントグラフト。
【請求項１０】
前記管状本体の近位部分が、近位方向に伸長しているむき出しの取り付け用ステントと、長手方向に沿って互いに隔置されている第一及び第二の自己拡張型ステントとを備えており、前記テーパー状中間部分が自己拡張型ステントを備えており、前記遠位部分が複数の自己拡張型ステントを備えている、ことを特徴とする請求項１〜９のうちのいずれか一の項に記載のステントグラフト。
【請求項１１】
前記近位部分の前記第二の自己拡張型ステントと前記テーパー状中間部分の前記単一の自己拡張型ステントとが、非対称な自己拡張型ジクザグ状ステントからなり、該非対称な自己拡張型ジグザグ状ステントが複数の支柱部と該支柱部間に設けられている近位及び遠位の屈曲部と外周とを備えており、前記外周の一部分における屈曲部は、他の屈曲部より周方向に更に大きく隔てられていて該周方向に更に大きく隔てられている屈曲部間に比較的幅の広い空隙領域が形成されている、ことを特徴とする請求項１０に記載のステントグラフト。
【請求項１２】
前記近位部分の第二の自己拡張型ステントを構成している前記非対称な自己拡張型ジグザグ状ステントが、前記互いに更に大きく隔てられている屈曲部を備えている外周の部分が前記ステントグラフトの前方領域に位置し、前記近位部分に設けられている開窓部が前記比較的幅の広い空隙領域に位置する、ように位置決めされている、ことを特徴とする請求項１１に記載のステントグラフト。
【請求項１３】
前記テーパー状中間部分の単一の自己拡張型ステントからなる前記非対称な自己拡張型ジグザグ状ステントが、前記互いに更に大きく隔てられている屈曲部を備えている外周の部分が前記ステントグラフトの前方領域に位置し、前記空隙領域が前記第一及び第二の高さが低い側方アームの外方開口端部の長手方向近位側に位置するように、前記ステントグラフトに取り付けられている、ことを特徴とする請求項１１又は１２に記載のステントグラフト。
【請求項１４】
前記テーパー状中間部分が非対称な自己拡張型ジグザグ状ステントを備えており、該非対称な自己拡張型ジグザグ状ステントは、複数の支柱部と、該支柱部同士の間に設けられている近位及び遠位の屈曲部と、外周とを備えており、前記外周の一部分は、前記屈曲部の他のものより周方向に更に大きく隔てられていて該周方向において更に大きく隔てられている前記屈曲部同士の間に比較的広い空隙が形成されており、前記非対称な自己拡張型ジグザグ状ステントは、前記更に大きく隔てられている屈曲部を備えている外周の部分が前記ステントグラフトの前記後方領域に位置し、前記空隙領域が、前記第一及び第二の高さが低い側方アームの外方開口端部の長手方向近位側に位置するように、前記ステントグラフトに取り付けられている、ことを特徴とする請求項１〜１０のうちのいずれか一の項に記載のステントグラフト。
【請求項１５】
生体適合性グラフト材料からなる細長い管状本体であって、遠位端と近位端とを有し、また、第一の選択された直径を有する近位部分と、該第一の選択された直径よりも小さい第二の選択された直径を有する遠位部分と、前記近位部分と前記遠位部分との間に位置するテーパー状中間部分とを有し、さらに、外周と、該管状本体上の概念上の前方長手方向基準線と、該概念上の前方長手方向基準線が１２時の位置となっている概念上の横断クロック面とを有する管状本体と、
前記管状本体の前記近位部分に設けられ且つ前記管状本体の前記近位端において開口しているスカラップ状の切欠きと、
前記近位部分において前記スカラップ状の切欠きよりも遠位側に設けられている開窓部と、
前記テーパー状中間部分の遠位端に設けられ、各々が外方開口端部を備えている第一及び第二の高さが低い側方アームと、を備えており、
前記テーパー状中間部分は、非対称な自己拡張型ジグザグ状ステントを備えており、該非対称の自己拡張型のジグザグ状ステントは、複数の支柱部と、該支柱部間の近位及び遠位の屈曲部と、外周とを備えており、屈曲部を備えている前記外周の一部分が、屈曲部のうちの他のものより周方向において更に大きく隔てられていて該更に大きく隔てられている屈曲部同士の間に比較的広い空隙領域が形成されており、
前記非対称の自己拡張型ジグザグ状ステントは、前記更に大きく隔てられている屈曲部を備えている前記外周の部分が前記ステントグラフトの前方領域に位置し、前記空隙領域が前記第一及び第二の高さが低い側方アームの前記外方開口端部の長手方向近位側に位置するように、前記ステントグラフトに取り付けられており、
前記スカラップ状の切欠きは、その周方向での中心位置が前記概念上の横断クロック面におけるほぼ１２時３０分の位置となるように配置され且つ周方向の幅が約２０ｍｍで長手方向の奥行きが約２０ｍｍであり、
前記近位部分に設けられている開窓部は、その周方向での中心位置が前記概念上の横断クロック面におけるほぼ１２時の位置となるように配置され且つ直径が約８ｍｍであり且つ前記近位端から約２６ｍｍの距離のところに中心が位置決めされており、
前記第一の高さが低い側方アームは、その周方向での中心位置が前記概念上の横断クロック面におけるほぼ２時１５分の位置となるように配置され、前記第二の高さが低い側方アームは、その周方向での中心位置が前記概念上の横断クロック面におけるほぼ１０時の位置となるように配置され、該第一及び第二の側方アームの各々の近位端が前記近位端から約５５ｍｍ隔てられた位置に位置決めされている、ことを特徴とするステントグラフト。
【手続補正２】
【補正対象書類名】図面
【補正対象項目名】全図
【補正方法】変更
【補正の内容】
【図１】
2012521807.tif 000001
【図２】
2012521807.tif 000002
【図３】
2012521807.tif 000003
【図４】
2012521807.tif 000004
【図５】
2012521807.tif 000005
【図６】
2012521807.tif 000006
【図７】
2012521807.tif 000007